【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
第１のデバイスと第２のデバイスとを具備するコンテンツ共有システムであって、
前記第１のデバイスは、
コンテンツ鍵により暗号化されたコンテンツと、少なくとも秘密鍵によりコンテンツ鍵を暗号化することにより生成されたコンテンツ鍵の暗号文、公開鍵により鍵暗号化鍵を暗号化することにより生成された鍵暗号化鍵の暗号文、第１のデバイスが前記暗号化されたコンテンツの使用条件が定義された第１権利情報を含む前記暗号化されたコンテンツに対応する権利オブジェクトと、をサーバから受信する受信部と、
前記受信部により受信された前記暗号化されたコンテンツと前記権利オブジェクトとを記憶する記憶手段と、
第２のデバイスとの間で相互認証を行ってセッションキー生成するセッションキー生成手段と、
前記鍵暗号化鍵の暗号文を前記第１のデバイスの秘密鍵により復号化し、復号化された鍵暗号化鍵を前記セッション鍵によって再度暗号化する暗号化／復号化手段と、
前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である第２のデバイス用の第２権利情報とを伝送する伝送部と、
を具備し、
前記第２のデバイスは、
前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である第１のデバイスからの第２権利情報とを受信する受信部と、
前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である第２権利情報と記憶した記憶部と
を具備する
ことを特徴とするコンテンツ共有システム。
【請求項２】
第２権利情報は、前記第１の権利情報から分割した前記第１の権利情報の一部を含むことを特徴とする請求項１に記載のコンテンツ共有システム。
【請求項３】
第１のデバイスがサーバから取得したコンテンツを、第２のデバイスと共有するコンテンツ共有方法において、
コンテンツ鍵により暗号化されたコンテンツと、少なくとも秘密鍵によりコンテンツ鍵を暗号化することにより生成されたコンテンツ鍵の暗号文、公開鍵により鍵暗号化鍵を暗号化することにより生成された鍵暗号化鍵の暗号文、第１のデバイスが前記暗号化されたコンテンツを使用することのできる許容範囲が定義された第１権利情報、を含み前記暗号化されたコンテンツに対応する権利オブジェクトとを、第１のデバイスがサーバから受信し、
第１のデバイスと第２のデバイスが、相互認証を行ってセッションキー生成し、
第１のデバイスが、鍵暗号化鍵の暗号文を秘密鍵により復号化し、
第１のデバイスが、復号化された鍵暗号化鍵を前記セッション鍵によって再度暗号化し、
前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である第２権利情報とを第１のデバイスとが第２のデバイスへ伝送すること
を含むことを特徴とするコンテンツ共有方法。
【請求項４】
第２権利情報は、前記第１の権利情報から分割した前記第１の権利情報の一部を含むことを特徴とする請求項３に記載のコンテンツ共有方法。
【請求項５】
コンテンツ鍵により暗号化されたコンテンツと、少なくとも秘密鍵によりコンテンツ鍵を暗号化することにより生成されたコンテンツ鍵の暗号文、公開鍵により鍵暗号化鍵を暗号化することにより生成された鍵暗号化鍵の暗号文、当該移動端末が前記暗号化されたコンテンツを使用することのできる許容範囲が定義された第１権利情報を含む前記暗号化されたコンテンツに対応する権利オブジェクトと、をサーバから受信する受信部と、
前記受信部により受信された前記暗号化されたコンテンツと前記権利オブジェクトとを記憶する記憶手段と、
他の移動端末との間で相互認証を行ってセッションキー生成するセッションキー生成手段と、
前記鍵暗号化鍵の暗号文を当該移動端末の秘密鍵により復号化し、復号化された鍵暗号化鍵を前記セッション鍵によって再度暗号化する暗号化／復号化手段と、
前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である他の移動端末用の第２権利情報とを伝送する伝送部と
を具備することを特徴とする移動端末。
【請求項６】
第２権利情報は、前記第１の権利情報から分割した前記第１の権利情報の一部を含むことを特徴とする請求項５に記載の移動端末。
【手続補正２】
【補正対象書類名】明細書
【補正対象項目名】０００１
【補正方法】変更
【補正の内容】
【０００１】
この発明は、コンテンツについて権利発行サーバを介することなく再生可能とするコンテンツ共有システム、コンテンツ共有方法及び移動端末に関するものである。
【手続補正３】
【補正対象書類名】明細書
【補正対象項目名】０００４
【補正方法】変更
【補正の内容】
【０００４】
しかしながら、権利を有するデバイスがサーバを介することなく別のデバイスと権利共有を行う要求があり、このような要求に応えるシステム或いはコンテンツ共有方法が求められている。本発明は、係る要求に応えんとしてなされたもので、その目的は、権利を有するデバイスがサーバを介することなく別のデバイスと一時的に権利共有することが可能なコンテンツ共有システム、コンテンツ共有方法及び移動端末を提供することである。
【手続補正４】
【補正対象書類名】明細書
【補正対象項目名】０００５
【補正方法】変更
【補正の内容】
【０００５】
本発明に係るコンテンツ共有システムは、第１のデバイスと第２のデバイスとを具備するコンテンツ共有システムであって、前記第１のデバイスは、コンテンツ鍵により暗号化されたコンテンツと、少なくとも秘密鍵によりコンテンツ鍵を暗号化することにより生成されたコンテンツ鍵の暗号文、公開鍵により鍵暗号化鍵を暗号化することにより生成された鍵暗号化鍵の暗号文、第１のデバイスが前記暗号化されたコンテンツの使用条件が定義された第１権利情報を含む前記暗号化されたコンテンツに対応する権利オブジェクトと、をサーバから受信する受信部と、前記受信部により受信された前記暗号化されたコンテンツと前記権利オブジェクトとを記憶する記憶手段と、第２のデバイスとの間で相互認証を行ってセッションキー生成するセッションキー生成手段と、前記鍵暗号化鍵の暗号文を前記第１のデバイスの秘密鍵により復号化し、復号化された鍵暗号化鍵を前記セッション鍵によって再度暗号化する暗号化／復号化手段と、前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である第２のデバイス用の第２権利情報とを伝送する伝送部と、を具備し、前記第２のデバイスは、前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である第１のデバイスからの第２権利情報とを受信する受信部と、前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である第２権利情報と記憶した記憶部とを具備することを特徴とする。
【手続補正５】
【補正対象書類名】明細書
【補正対象項目名】０００７
【補正方法】変更
【補正の内容】
【０００７】
本発明に係るコンテンツ共有システムでは、第２権利情報は、前記第１の権利情報から分割した前記第１の権利情報の一部を含むことを特徴とする。
【手続補正６】
【補正対象書類名】明細書
【補正対象項目名】０００８
【補正方法】変更
【補正の内容】
【０００８】
本発明に係るコンテンツ共有方法は、第１のデバイスがサーバから取得したコンテンツを、第２のデバイスと共有するコンテンツ共有方法において、コンテンツ鍵により暗号化されたコンテンツと、少なくとも秘密鍵によりコンテンツ鍵を暗号化することにより生成されたコンテンツ鍵の暗号文、公開鍵により鍵暗号化鍵を暗号化することにより生成された鍵暗号化鍵の暗号文、第１のデバイスが前記暗号化されたコンテンツを使用することのできる許容範囲が定義された第１権利情報、を含み前記暗号化されたコンテンツに対応する権利オブジェクトとを、第１のデバイスがサーバから受信し、第１のデバイスと第２のデバイスが、相互認証を行ってセッションキー生成し、第１のデバイスが、鍵暗号化鍵の暗号文を秘密鍵により復号化し、第１のデバイスが、復号化された鍵暗号化鍵を前記セッション鍵によって再度暗号化し、前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である第２権利情報とを第１のデバイスとが第２のデバイスへ伝送することを含むことを特徴とする。また、本発明に係るコンテンツ共有方法では、第２権利情報は、前記第１の権利情報から分割した前記第１の権利情報の一部を含むことを特徴とする。
【手続補正７】
【補正対象書類名】明細書
【補正対象項目名】０００９
【補正方法】変更
【補正の内容】
【０００９】
本発明に係る移動端末は、コンテンツ鍵により暗号化されたコンテンツと、少なくとも秘密鍵によりコンテンツ鍵を暗号化することにより生成されたコンテンツ鍵の暗号文、公開鍵により鍵暗号化鍵を暗号化することにより生成された鍵暗号化鍵の暗号文、当該移動端末が前記暗号化されたコンテンツを使用することのできる許容範囲が定義された第１権利情報を含む前記暗号化されたコンテンツに対応する権利オブジェクトと、をサーバから受信する受信部と、前記受信部により受信された前記暗号化されたコンテンツと前記権利オブジェクトとを記憶する記憶手段と、他の移動端末との間で相互認証を行ってセッションキー生成するセッションキー生成手段と、前記鍵暗号化鍵の暗号文を当該移動端末の秘密鍵により復号化し、復号化された鍵暗号化鍵を前記セッション鍵によって再度暗号化する暗号化／復号化手段と、前記コンテンツ鍵により暗号化されたコンテンツと、前記鍵暗号化鍵により暗号化されたコンテンツ鍵の暗号文、セッションキーにより暗号化された鍵暗号化鍵、前記第１の権利情報の一部である他の移動端末用の第２権利情報とを伝送する伝送部とを具備することを特徴とする。また、本発明に係る移動端末では、第２権利情報は、前記第１の権利情報から分割した前記第１の権利情報の一部を含むことを特徴とする。
【手続補正８】
【補正対象書類名】明細書
【補正対象項目名】００１１
【補正方法】変更
【補正の内容】
【００１１】
以下添付図面を参照して、本発明に係るコンテンツ共有システム及びコンテンツ共有方法の実施例を説明する。各図において、同一の構成要素には、同一の符号を付して重複する説明を省略する。図１には、実施例に係るコンテンツ共有システムの構成図が示されている。このシステムは、第１のデバイス１１と第２のデバイス１２とにより構成される。第１のデバイス１１は、サーバ２０から権利オブジェクトを取得している。なおサーバ２０は、サーバコンピュータの構成を備えており、デバイス権利発行部２２で発行された権利オブジェクトＲＯ及びコンテンツ供給部２３で暗号化されたコンテンツＥ−Ｃ（権利オブジェクトＲＯに対応）は、通信部２１を介して第１のデバイスや第２のデバイスのようなデバイスに対して供給される。
図２には、第１のデバイス１１に対し、サーバ２０が権利オブジェクトＲＯを発行すると共にコンテンツ供給部２３から暗号化したコンテンツＥ−Ｃ（権利オブジェクトＲＯ対応のもの）を供給する処理Ｐ１が示されている。
【手続補正９】
【補正対象書類名】図面
【補正対象項目名】図６
【補正方法】変更
【補正の内容】
【図６】
2008065696.tif 000001
【手続補正１０】
【補正対象書類名】図面
【補正対象項目名】図７
【補正方法】変更
【補正の内容】
【図７】
2008065696.tif 000002